(57)【要約】      （修正有）【課題】従来のネジ付き漏斗の欠点であった、移液の際のボトル内の空気の脱気を容易にすることにより、移液時に廃油の飛散を防止し、すばやい移液を可能とするボトル用漏斗を提供する。【解決手段】広口部と狭口部からなる漏斗であって、ペットボトル等のボトル口部にネジにより連結可能な漏斗において、脱気口３を有するネジ付きキャップ２を漏斗と一体化した漏斗。【選択図】図１
0003142212.tif 000002
【実用新案登録請求の範囲】
【請求項１】
広口部と狭口部からなる漏斗であって、ペットボトル等のボトル口部にネジにより連結可能な漏斗において、脱気口を有するネジ付きキャップを漏斗と一体化したことを特徴とするボトル用漏斗。
【請求項２】
漏斗先端の狭口部が、ネジ付きキャップ下面より突出していることを特徴とする請求項１に記載のボトル用漏斗。
【請求項３】
脱気口を有したネジ付きキャップと漏斗が、互いに摺動可能に一体化していることを特徴とする請求項１に記載のボトル用漏斗。
【請求項４】
漏斗上部の広口部に、固形物を分離可能なフイルターを備えたことを特徴とする請求項１に記載のボトル用漏斗。
【考案の詳細な説明】
【技術分野】
【０００１】
本考案は、ペットボトル等のボトルに液体を移す際に使用するボトル用漏斗に関する。
【背景技術】
【０００２】
近年、清涼飲料水やお茶などの容器として、ポリエチレンテレフタレート（ＰＥＴ）製のボトル、即ち、ペットボトル等（以下、ボトルと称す）が広範囲に使用されている。内容物を使用後のボトルは、資源ゴミとして回収される一方、新たな内容物を貯蔵する容器としても再使用されている。
一方、一般家庭では、てんぷら等に使用した油等を従来は固形化して可燃ゴミに廃棄しているが、有効活用する目的から、資源として回収することが進められつつある。
使用済みのてんぷら油等（以下、廃油と称す）は、油の劣化により粘性が高くなったり、揚げ粕等の固形物が混入していることから、広口の容器からボトル等への移液が容易ではない。廃油の入った広口の容器から、ボトルへ移液するには、漏斗を補助者に持ってもらう等の煩雑さを伴う。
こうした煩雑さを回避し、作業を容易にするためにいろいろの工夫が考えられている。例えば、特許文献１及び特許文献２には、漏斗とボトルを接続するジョイント付きキャップやキャップ付漏斗が提案されている。また、特許文献３には、計量器を兼ねたネジ付き漏斗をボトルに取り付ける提案がされている。
しかしながら、従来から提案されているネジ付き漏斗を用いて廃油をボトルに移液しようとすると、廃油がボトルの注入口を塞ぎ、ボトル内の空気が脱気できずに移液に非常に時間がかかる。また、ボトル内の空気が脱気する際に廃油をボコボコと吹き上げて、周囲へ飛散するなどのトラブルが発生することがわかった。更に、廃油を移液し終わった後に、漏斗や接続キャップを取り外す際に、これらに残っていたわずかな廃油が、ボトル注入口の外側へ漏れて、ボトルの肩部に廃油が付着し、いわゆる「油ダレ」で肩部が汚れるなどのトラブルが発生することがわかった。
【特許文献１】特開２００８−００７２００号公報
【特許文献２】特開２００２−０１２２９６号公報
【特許文献３】特許第３４９４３６４号公報
【考案の開示】
【考案が解決しようとする課題】
【０００３】
本考案の課題の第１は、従来のネジ付き漏斗の欠点であった、移液の際のボトル内の空気の脱気を容易にすることにより、移液時に廃油の飛散を防止し、すばやい移液を可能とするボトル用漏斗を提供することにある。本考案の課題の第２は、移液後のボトル注入口の汚れを防止するボトル用漏斗を提供することにある。更に、好ましくは、移液時に廃油中の固形物を分離可能としたボトル用漏斗を提供することにある。
【課題を解決するための手段】
【０００４】
本考案は、上記課題を解決するために、ネジ付きキャップと漏斗を一体化すると同時に、ネジ付きキャップに脱気口を設けることにより、上記課題が一挙に解決できることを見出し、考案を完成させたものである。
即ち、
（１）広口部と狭口部からなる漏斗であって、ペットボトル等のボトル口部にネジにより連結可能な漏斗において、脱気口を有するネジ付きキャップを漏斗と一体化したことを特徴とするボトル用漏斗。
（２）漏斗先端の狭口部が、ネジ付きキャップ下面より突出していることを特徴とする（１）に記載のボトル用漏斗。
（３）脱気口を有したネジ付きキャップと漏斗が、互いに摺動可能な状態で一体化していることを特徴とする（１）に記載のボトル用漏斗。
（４）漏斗上部の広口部に、固形物を分離可能なフイルターを備えたことを特徴とする（１）に記載のボトル用漏斗である。
【考案の効果】
【０００５】
本考案により、従来のネジ付き漏斗の欠点であった、移液の際のボトル内の空気の脱気を容易になり、移液時に廃油の飛散を防止し、すばやい移液を可能とする漏斗を提供することが可能となる。また、移液後のボトル注入口の「油ダレ」汚れを防止する漏斗を提供することが可能となる。更に、好ましくは、移液時に廃油中の固形物を分離可能とした漏斗を提供することが可能となる。
【考案を実施するための最良の形態】
【０００６】
以下、図面に基づいて、本考案の好ましい実施形態を詳述する。
周知のように、ボトルは本体と次第に径が小さくなる肩部を経て上部に開口する小径のボトル口部を有する。ボトル口部には、外周部に雄ネジを形成している。ボトルは、清涼飲料やお茶などの内容物を充填され、雌ネジを有するキャップにより被冠された状態で販売されている。ボトル口部の雄ネジ及び雌ネジの材質と口径、ネジピッチ等は、規格化され、各種のボトルに対して互換性を有している。材質は、主にポリエチレンが採用されている。
【０００７】
図１に、本考案の一例である、ネジ付きキャップと漏斗を一体化した漏斗を示す。
図１において、漏斗１は上部には広口部１ａを、下部には狭口部１ｂを有している。ネジ付きキャップ２は、漏斗１の狭口部１ｂに漏斗に一体化して付設されている。
漏斗１の狭口部１ｂへのネジ付きキャップ２の付設位置は、特に限定されないが、後述するように「油ダレ」を抑止する目的から、漏斗狭口部１ｂの先端がネジ付きキャップ２の下面より突出するように付設されることが好ましい。
ネジ付きキャップ２の下面より突出する漏斗狭口部先端の長さ（図１においては、Ｌ）は、通常０．５〜１０ｃｍであることが好ましい。「油ダレ」抑止と使用の容易性からは、漏斗狭口部先端部の長さＬは、１〜５ｃｍであることが更に好ましい。
【０００８】
漏斗１の狭口部１ｂへのネジ付きキャップ２の付設は、漏斗１の狭口部１ｂとネジ付きキャップ２が直接接着されたものであってもよく、もしくは、ネジ付きキャップ２と漏斗１が、互いに摺動可能な状態で一体化されたものであってもよい（図示せず）。漏斗１の狭口部１ｂとネジ付きキャップ２が互いに摺動可能な状態で一体化され場合の利点は、ボトルへの取り付け時に漏斗自体を回転させることが不要となることである。
【０００９】
本考案においては、ネジ付きキャップ２に脱気口３を有していることが重要である。
ネジ付きキャップ２に脱気口３を有していることにより、移液時に廃油の飛散を防止し、すばやい移液が可能となる。
脱気口３の個数や形状は特に限定されないが、ネジ付きキャップ２への加工の容易性から、通常は１〜４個であることが好ましい。形状は、円形や三角形、四角形等特に限定されないが、円形であること加工の容易性から好ましい。
図２には、脱気口３が１個の例を、図３には、脱気口３が２個の例を示す。
脱気口３の開口面積は、ボトル内の空気が脱気できる面積であれば、特に限定されないが、すみやかな移液を達成する目的から、０．０３〜０．５ｃｍ２であることが好ましい。
【００１０】
本考案において、図４に示すように、漏斗上部の広口部１ａに、揚げ粕などの固形物を分離可能なフィルター４を備えておくことが好ましい。固形物分離フィルター４の取り付けは、漏斗上部の広口部１ａに固定するものであってもよく、または、取り外し可能とするものであってもよい。
固形物分離フィルター４の洗浄や交換を可能にする目的からは、取り外し可能であることが好ましい。
【００１１】
本考案に使用する、漏斗１やネジ付きキャップ２の材質は、特に限定されないが、ポリエチレン樹脂やポリプロピレン樹脂、シリコン樹脂、テフロン樹脂等の合成樹脂であることが好ましい。これ以外に、アルミニュウムやステンレス等の金属性であってもよい。漏斗１とネジ付きキャップ２の材質は、同一である必要はないが、ネジ付きキャップの材質に、一般的にポリエチレン樹脂が採用されていることから、漏斗の材質もポリエチレンであることが接着性の点から好ましい。しかし、廃油の温度が１００℃近くの高温のまま、移液する場合などを考慮して、軟化温度の高いポリプロピレン樹脂や他の材質を採用してもよい。
【実施例】
【００１２】
以下、実施例により本考案を説明するが、本考案は、この実施例に限定されるものではない。
市販のポリエチレン製漏斗に、市販のペットボトル用キャップを接着し、図１に示すネジ付きキャップ付を一体化した漏斗を製作した。漏斗の広口部上部の直径は１１ｃｍ、狭口部の直径は１ｃｍ、狭口部の長さは５ｃｍ、ネジ付きキャップ下部より突出している狭口部の長さＬは１．５ｃｍであった。
ネジ付きキャップには、直径が０．２ｃｍの円形の脱気口を１個穿孔した。
このネジ付きキャップ一体化漏斗を空の容積２リットルペット口部に固定し、広口のフライパン容器から、天ぷら油（日清オイリオグループ株式会社製コーン油）１リットルを注入する時間を測定した。本考案のネジ付きキャップ一体化漏斗を使用した場合には、１リットルの油を移液するのに要した時間は、約２０秒であった。
比較として、脱気口を設けないネジ付きキャップ一体化漏斗を用いて、同様の操作を行ったところ、ボトル内の空気が抜ける際に天ぷら油がボコボコと飛び散り、注入に要した時間は約１２０秒であった。
この例から明らかなように、本考案により注入に要する時間が約６分の１で済み、油の周辺への飛散も解消された。また、ペットボトル周囲への「油ダレ」も、全く生じなかった。
【産業上の利用可能性】
【００１３】
本考案は、廃油などを再利用する目的で、廃油を広口の容器からボトルに移液する際に使用するのが有効であるが、使用目的はこれらに限定されるものではない。廃油以外の移液で、例えば、水はもちろん、酒類や粥状の甘酒などを移液する際にも、容易でかつすみやかに移液が達成され、極めて有効である。
【図面の簡単な説明】
【００１４】
【図１】本考案のネジ付きキャップを一体化した漏斗の断面を示す概念図である。
【図２】図１のＡ―Ａ’平面で、脱気口が円形で１個の場合を示す概念図である。
【図３】図１のＡ―Ａ’平面で、脱気口が円形で２個の場合を示す概念図である。
【図４】漏斗の広口部に固形物分離フイルターを付設した場合の概念図である。
【符号の説明】
【００１５】
１  ；  漏斗
１ａ；  漏斗の広口部
１ｂ；  漏斗の狭口部
２  ；  ネジ付きキャップ
３  ；  脱気口
４  ；  固形物分離フィルター
【図１】
0003142212.tif 000003
【図２】
0003142212.tif 000004
【図３】
0003142212.tif 000005
【図４】
0003142212.tif 000006